【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
エレベータ乗りかごと、該エレベータ乗りかごおよびカウンタウェイトを動かし支持する少なくとも1本の巻上げロープと、該巻上げロープに作用するトラクションシーブと、該トラクションシーブを回転させる動力源とを含む、好ましくは乗用のエレベータにおいて、前記カウンタウェイトは、該カウンタウェイトの少なくとも上方向への動きを減速および／または抑制するブレーキを含むことを特徴とするエレベータ。
【請求項２】
請求項１に記載のエレベータにおいて、該エレベータは補償ロープを備えていない構成であることを特徴とするエレベータ。
【請求項３】
請求項１または２に記載のエレベータにおいて、前記１または複数の巻上げロープは前記エレベータ乗りかごおよび前記カウンタウェイトを動かすように配設され、非金属製に限られた耐力部分を含むことを特徴とするエレベータ。
【請求項４】
請求項１ないし３のいずれかに記載のエレベータにおいて、前記ブレーキは飛び跳ね防止手段であり、前記エレベータ乗りかごが突然停止した場合に作動して、前記カウンタウェイトの飛び跳ねを防止するよう構成されることを特徴とするエレベータ。
【請求項５】
請求項１ないし４のいずれかに記載のエレベータにおいて、少なくとも前記カウンタウェイト、および好ましくは前記エレベータ乗りかごも、ガイドレールに対応するブレーキを含み、該ブレーキの制御の下に該カウンタウェイト／エレベータ乗りかごが走行することを特徴とするエレベータ。
【請求項６】
請求項１ないし５のいずれかに記載のエレベータにおいて、前記カウンタウェイトおよび／または前記エレベータ乗りかごは、該カウンタウェイトおよび／または該エレベータ乗りかごがある所定制限値を超えて減速すると、該カウンタウェイトおよび／またはエレベータ乗りかごに備えられた前記ブレーキを作動させるように配設された手段を含むことを特徴とするエレベータ。
【請求項７】
請求項１ないし６のいずれかに記載のエレベータにおいて、前記ブレーキの制動力の大きさを決めることで、該ブレーキがいかなる作動状態にあっても、空のエレベータ乗りかごの減速度がある所定値、すなわち3〜5m/s2を上回らないようにすることを特徴とするエレベータ。
【請求項８】
請求項１ないし７のいずれかに記載のエレベータにおいて、前記エレベータ乗りかごに備えられたブレーキおよび／または前記カウンタウェイトに備えられたブレーキによる制動は、前記巻上げロープの張力が低下すると、例えば、巻上げロープの張力が所定の制限張力以下に低下すると開始するよう構成されることを特徴とするエレベータ。
【請求項９】
請求項１ないし８のいずれかに記載のエレベータにおいて、前記カウンタウェイトは、前記カウンタウェイトを支持する少なくとも1本のロープの張力を測定して、該張力が所定の制限張力以下に低下すると、該カウンタウェイトに備えられたブレーキを始動させる手段を含むことを特徴とするエレベータ。
【請求項１０】
請求項１ないし９のいずれかに記載のエレベータにおいて、前記エレベータ乗りかごは、前記エレベータ乗りかごを支持する少なくとも1本のロープの張力を測定して、該張力が所定の制限張力以下に低下すると、該エレベータ乗りかごに備えられたブレーキを始動させる手段を含むことを特徴とするエレベータ。
【請求項１１】
請求項１ないし１０のいずれかに記載のエレベータにおいて、前記手段は、ぴんと張ったロープの長手方向の張力がもたらす力に抵抗するスプリングを含むことを特徴とするエレベータ。
【請求項１２】
請求項１ないし１１のいずれかに記載のエレベータにおいて、前記ブレーキは、前記巻上げロープの弛みがもたらす前記スプリングの運動効果によって作動するよう取り付けられていることを特徴とするエレベータ。
【請求項１３】
請求項１ないし１２のいずれかに記載のエレベータにおいて、少なくとも前記エレベータ乗りかごに備えられた前記ブレーキは、該エレベータ乗りかごのガイドレールに対応する安全装置であり、好ましくは、該エレベータの過回転防止装置にも接続されている安全装置であって、該過回転防止装置は、前記エレベータ乗りかごの移動速度がある所定制限値を上回ると、該安全装置を作動させることを特徴とするエレベータ。
【請求項１４】
請求項１ないし１３のいずれかに記載のエレベータにおいて、前記巻上げロープは、好ましくは該ロープの両端に吊り下げられたエレベータ乗りかごおよびカウンタウェイトを動かすように配設されていることを特徴とするエレベータ。
【請求項１５】
請求項１ないし１４のいずれかに記載のエレベータにおいて、補償ロープまたはその相当物が前記カウンタウェイトおよび／または前記エレベータ乗りかごに連結されていず、該補償ロープまたはその相当物は、該エレベータ乗りかご／カウンタウェイトの垂直位値に応じた力を利用して該乗りかご／カウンタウェイトを下方向に引くことができ、該力の度合いは、該エレベータ乗りかごが上方向に動くと大きくなり、該エレベータ乗りかごが下方向に動くと小さくなることを特徴とするエレベータ。
【請求項１６】
請求項１ないし１５のいずれかに記載のエレベータにおいて、前記カウンタウェイトおよび前記エレベータ乗りかごは、エレベータ昇降路の底部に設けられた転向プーリを周回するロープまたはその相当物に連結されていないことを特徴とするエレベータ。
【請求項１７】
請求項１ないし１６のいずれかに記載のエレベータにおいて、前記巻上げロープは、少なくとも１つの、好ましくは複数の耐力部分を含み、該耐力部分は複合材料からなり、該複合材料は強化繊維を含み、該強化繊維は、好ましくは炭素繊維またはガラス繊維であって、ポリマ基材に埋め込まれていることを特徴とするエレベータ。
【請求項１８】
請求項１ないし１７のいずれかに記載のエレベータにおいて、該エレベータの移動高さは30メートル以上であり、好ましくは30〜80メートル、最も好ましくは40〜80メートルであり、該エレベータは補償ロープを有しない構成であることを特徴とするエレベータ。
【手続補正２】
【補正対象書類名】明細書
【補正対象項目名】００７４
【補正方法】変更
【補正の内容】
【００７４】
図３は、図１に係るエレベータに好適なブレーキ構造の１つを示す。本エレベータは、ブレーキ11、21の制動を開始させる手段10、20を含んでいて、このブレーキは、例えばエレベータのガイドレール12、22に対応している。この場合、ブレーキは、乗りかご／カウンタウェイトの速度を落とすために必要な力をガイドレールから取り入れて減速させるように配設される。手段10、20は、次のようなタイプのものである。すなわち、これらの手段を使用して、巻上げロープの張力が減少すると、エレベータ乗りかごに備えられたブレーキの、および／またはカウンタウェイトに備えられたブレーキの制動を開始するよう構成されている。こうして、これらの手段10、20を用いることによって、カウンタウェイトに備えられたブレーキは、エレベータ乗りかごが急に停止してしまったり、または少なくとも速度が低下したりした場合に、制動するように容易に構成でき、また同様に、エレベータ乗りかごに備えられたブレーキは、カウンタウェイトが急に停止してしまったり、または少なくともその速度が低下したりした場合に、制動するように構成される。これにより、エレベータ乗りかごまたはカウンタウェイトの速度がいきなり低下した後に起きる、上述のエレベータ乗りかごまたはカウンタウェイトとは逆の方向に動くエレベータ乗りかごまたはカウンタウェイトの動きの継続を、抑制または少なくともかなり低減できる。好ましくは、ブレーキ11がエレベータ乗りかごのブレーキであるならば、このブレーキはガイドレールに対応した安全装置であり、好ましくは、エレベータの過回転防止装置(例えば過回転防止装置のロープ)にも接続された安全装置である。
【手続補正３】
【補正対象書類名】図面
【補正対象項目名】図３
【補正方法】変更
【補正の内容】
【図３】
2012515126.tif 000001